(57)【特許請求の範囲】
【請求項１】
積み重ね或いは敷き並べて所望の構築物を構築するためのブロックであって、ブロック本体はコンクリートを材料として、成形により、薄肉で中空かつ有底の殻状構造に形成され、ブロック本体の積み重ね時に互いに係合する係合部を殻状構造より成るブロック本体下部に有するとともに、係合相手部をブロック本体上部に有しており、積み重ね時に、ブロック本体をその長手方向の長さの数分の１ずつずらせて係合可能とする位置決め部をブロック本体の上部及び下部に設け、水抜き穴や鉄筋等の差し込み口として使用されることを予定しているが、製造時は閉じたままとし、使用時に打ち抜いて開ける方式を採る開口となる部分をブロック本体の底に有しており、上記開口となる部分は、本来薄肉のブロック本体よりもさらに肉薄く形成されており、中空内部に土壌材料を充填し、植物の生育を可能とすることにより構築物が植栽機能を具備し得るように構成されていることを特徴とする構築用植栽ブロック。
【請求項２】
ブロック本体は、その周壁を構成する箇所にブロック本体から外方へ膨らんだポット部を有している請求項１記載の構築用植栽ブロック。
【請求項３】
積み重ね或いは敷き並べて所望の構築物を構築するためのブロックであって、ブロック本体はコンクリートを材料として、成形により、薄肉で中空かつ有底の殻状構造に形成され、ブロック本体の積み重ね時に互いに係合する係合部を殻状構造より成るブロック本体下部に有するとともに、係合相手部をブロック本体上部に有しており、積み重ね時に、ブロック本体をその長手方向の長さの数分の１ずつずらせて係合可能とする位置決め部をブロック本体の上部及び下部に設け、水抜き穴や鉄筋等の差し込み口として使用されることを予定しているが、製造時は閉じたままとし、使用時に打ち抜いて開ける方式を採る開口となる部分をブロック本体の底に有しており、上記開口となる部分は、本来薄肉のブロック本体よりもさらに肉薄く形成されており、中空内部に土壌材料を充填し、植物の生育を可能とすることにより構築物が植栽機能を具備するとともに、上記ブロック本体の中空内部を分割する仕切り板の取り付け部を有し、分割された中空内部の区画に補強材を通しかつコンクリートを充填する部分となる構成を有する構築用植栽ブロック。
【請求項４】
ブロック本体を上下逆にして積み重ねたときに、互いに向き合う係合部同士或いは係合相手武道氏を結合するための係合手段を有する結合具の併用が可能な請求項１ないし３の何れかに記載の構築用植栽ブロック。
【発明の詳細な説明】
【０００１】
【発明の属する技術分野】
本発明は、積み重ね或いは敷き並べて所望の構築物を構築するための構築用植栽ブロックに関するものである。
【０００２】
【従来の技術】
例えば、軽量コンクリートブロック或いはその他各種のブロック類を用いて塀を構築する場合、熟練の差により仕上がりの善し悪しが歴然としたものとなる。そのため従来のブロック類を使用する工事には職人の技能が不可欠であり、経済的には問題なしとしない。
【０００３】
また従来のブロック類によって構築される塀は、基本的には平面又は曲面等から成り、表面は多少の凹凸を有するものがあるものの、外見上は概して無機的であり、変化に乏しい。従来の塀に変化をつける場合には、植木鉢を吊るしたり置いたりする方法が取られたが、却って見た目が悪くなるとか、鉢が損傷し易いという問題を生じた。
【０００４】
【発明が解決しようとする課題】
本発明は前記の点に着目してなされたものであって、その課題は、熟練を必要とすることなく良好な仕上がりが得られると同時に、それ自体に植木鉢機能が具備されている構築用植栽ブロックを提供することである。
【０００５】
【課題を解決するための手段】
前記の課題を解決するため本発明では、積み重ね或いは敷き並べて所望の構築物を構築するためのブロックにおいて、ブロック本体はコンクリートを材料として、成形により、薄肉で中空かつ有底の殻状構造に形成され、ブロック本体の積み重ね時に互いに係合する係合部を殻状構造より成るブロック本体下部に有するとともに、係合相手部をブロック本体上部に有しており、積み重ね時に、ブロック本体をその長手方向の長さの数分の１ずつずらせて係合可能とする位置決め部をブロック本体の上部及び下部に設け、水抜き穴や鉄筋等の差し込み口として使用されることを予定しているが、製造時は閉じたままとし、使用時に打ち抜いて開ける方式を採る開口となる部分をブロック本体の底に有しており、上記開口となる部分は、本来薄肉のブロック本体よりもさらに肉薄く形成されており、中空内部に土壌材料を充填し、植物の生育を可能とすることにより構築物が植栽機能を具備し得るように構成するという手段を講じたものである。ブロック本体はまたブロック本体の周壁を構成する箇所にブロック本体から外方へ膨らんだポット部を有していても良い。
【０００６】
【発明の実施の形態】
本発明に係る構築用植栽ブロックは、積み重ね或いは敷き並べて所望の構築物を構築するためのブロックである。この種のブロックは通常、コンクリートを材料とするものである。
【０００７】
本発明の構築用植栽ブロックを構成するブロック本体は、特に薄肉で中空かつ有底の軽量構造を有する。つまり、本発明におけるブロック本体は中空構造を有するがゆえに軽量に形成されるものであり、有底であるから、下面は底で閉じており、上面は開いており、これを殻状構造と言っても良い。このようなブロック本体であるから、中空内部に土壌材料を充填して植栽の可能なブロックとして使用することができる。
【０００８】
ブロック本体は、積み重ね時に互いに係合する係合部をブロック本体下部に有し、かつまた係合部に対する係合相手部をブロック本体上部に有している。例えば係合部が凸部である場合、係合相手部は凹部となり、凸部と凹部とが係合しあうということである。この場合、ブロック本体の長さの２分の１、４分の１、８分の１等数分の１ごとの位置に位置決め部を設けるようにすると、積み重ね位置が左右２分の１、４分の１、８分の１ずつずれた位置でも正確に係合するので位置決めが容易である。
【０００９】
ブロック本体は、上下逆に積むこともあるが、そのときには係合部と係合部、或いは係合相手部と係合相手部とが互いに向き合い、係合できないこととなる。そこで係合部と係合相手部に係合可能な係合手段を有する結合具を使用して、ブロック本体の正立倒立の如何に拘ず積み重ね時の安定性の確保と正確な位置決めが保証されるようにする。結合具は、係合部同士用と係合相手部同士用を必要とする。
【００１０】
ブロック本体は、周壁、つまり中空部分を取り囲んでいる箇所に、ブロック本体から外方へ膨らんだポット部を有しているものを含む。ポット部は、ブロック本体の周壁の外側に重ねて設けられていても良く、ブロック本体の周壁の一部の膨らみとして設けた形をとっても良い。ポット部は、土壌材料の充填によって植物の生育が可能な場所を提供するので、構築物そのものが植栽機能を具備することになる。
【００１１】
さらに、ブロック本体は、中空内部を分割する仕切り板の取り付け部を有するものとすることができる。取り付け部の位置は、例えば前記係合部、係合相手部に設ける位置決め部と同様、ブロック本体の長さの２分の１、４分の１、８分の１等の位置とすることが望ましい。分割された中空内部の区画は、例えばコンクリートを充填しかつ補強材を通す部分として利用され得るので、補強材等によるブロックの結合の１手段となる。
【００１２】
本発明に係る植栽ブロックは、これを用いて構築物を構築する場合に、他の変形ブロックを併用することができ、これらのブロックは共通のモジュールに基づく寸法を有する（図１及び図５参照）。また、ブロック本体の大きさ、例えば長さについては、標準となるブロックの長さの２分の１、４分の１或いは８分の１等の長さを有し、これらの変形ブロックも本発明に係る植栽ブロック群の中に含まれ得る。また、標準となるブロック本体の複数倍の長さや高さ、前後長を有するものもあり得る。さらに構築物の端や、角等に配置するためのいわゆる役物ブロックも本発明に係る植栽ブロック群に包含される。
【００１３】
【実施例】
以下図示の実施例により本発明に係る構築用植栽ブロックについて詳細に説明する。図１ないし図５は本発明の植栽ブロック１０の標準となるものを示しており、ブロック本体１１は長さを１とすると高さがその４分の１、前後長さ（厚さ）が８分の１に割り付けられたモジュールを有している。
【００１４】
ブロック本体１１は薄肉の殻状構造を有し下部は底１２によって閉じており、上部は開口１３となって開いている。ブロック本体１１は、係合部１４を本体下部に、また係合部と係合可能な係合相手部１５を本体上部に夫々有しており、係合部１４は図１（ｃ）又は図５（ｂ）に示すようにブロック本体の長さの約８分の１平方の大きさの凸部で構成され、凸部間の溝１６で隔てられている。溝１６はブロック本体１１をずらせて積み重ねるときの位置決めに利用されるように、ブロック本体１１の両端の上縁１７と係合可能となっている。溝１６の両端部には小凹部１８があり、係合相手部１５に設けられた小突部１９と係合可能になっている。小凹部１８はブロック本体の長さの４分の１ごとに設けられている。係合相手部１５は図４（ａ）に示すように凹状の段部で構成されており、開口１３の内周全域に設けられている。開口１３の内方にはブロック本体の長さの８分の１ごとに仕切り板２０の取り付け部２１、２１が設けられている。
【００１５】
２２は底１２に明けられた開口を示す。開口２２は水抜き穴や鉄筋等の差し込み口として使用されることを予定しているが、製造時は閉じたままとし、使用時に打ち抜いて開ける方式を採ることができる。特にブロック本体をコンクリートで成形する場合には成形材料の流れをスムーズにするためにも当初は盲にしておいた方が良い。
【００１６】
このような植栽ブロック１０は、正面をレリーフ等による模様２３を設けた装飾面とし、ブロックの持つ無機的な印象の改善を図っている。同様の模様２３は全面に設けることができる。しかし図５（ｂ）に示すように無模様のものも勿論使用される。また、図１〜図５に例示した実施例１の植栽ブロック１０に対して２分の１又は４分の１等の長さを持ち、高さと前後長さ（厚さ）を同じにした短ブロックや、端面２４に凹部２５を設けることなく平面等とした変形ブロックを各種用意することができる。
【００１７】
図６〜図８は本発明の植栽ブロック１０に含まれる実施例２に関する変形植栽ブロック３０を示すもので、ポット部３６を有している点以外は実施例１の標準植栽ブロック１０と全く同じ構成を有している。即ち、ブロック本体３１は薄い殻状構造、底３２、開口３３を有し、これに標準ブロック１０と共通の係合部３４、係合相手部３５、等を有している。従ってこれら以外の共通点については符号を援用して詳細な説明を省略する。
【００１８】
実施例２のブロック本体３１の周壁を構成する箇所には、ブロック本体３１から外方へ膨らんだポット部３６が備わっている。例示のポット部３６は、周壁の一部の膨らみとして設けられているため、ポット部３６ではブロック本体３１の中空内部も外方へ膨らんでいる。標準の変形植栽ブロック３０の場合、ポット部３６は全周の約２分の１近い長さを持ち中央部に袋状に膨らんでいる。ポット部３６の底部には複数個の小孔３７を水抜き等の目的で設けることができる。ポット部３６を有している変形植栽ブロック３０にも模様３８が設けられている。
【００１９】
本発明に係るこれらの植栽ブロック１０、３０の結合のために、幾種類かの結合手段が容易されている。図９は結合手段の１例を示すもので、積み重ねられたブロック１０・・・を貫く鉄筋４０としてのボルトと、鉄筋４０の下端に配置される下部プレート４１と鉄琴４０の０上端に配置される上部プレート４２及び鉄筋４０の中間位置に配置される複数個の中間プレート４３・・・とから成る。鉄筋４０はねじ杆より成りそれに螺合するナット等のめねじ部４４を中間プレート４３・・・は一体に有していて、積み重ねられる植栽ブロック１０、３０結合可能な構成を有する。図１０は、上記の鉄筋４０を現場打ちするコンクリート４５によって固めるもので、コンクリート打設空間を区画するために前記した仕切り板２０が用いられる。
【００２０】
図１１は、係合部１４、１４、３４、３４同士が互いに向き合う場合に適用する結合具４６、４７を示しており、係合部１４の凸部と受け入れる凹部４８が両面に形成された結合具４６と、係合相手１５の凹部と嵌まり合う凸部４９が両面に形成された結合具４７とから成る。図１１は、図１に示されている標準植栽ブロック１０の平面形状と同じ大きさを有しているタイプのものであり、これを幅方向において２倍したものも使用される。
【００２１】
これらの植栽ブロック１０と変形植栽ブロック３０を用い、かつ、適切な結合手段を用いて目的とする構築物を構築することができる。図１２は構築物の一部に適用される植栽ブロック１０、３０の組み合わせ例を示しており、図１２（ａ）は図１或いは図６に示した標準植栽ブロック１０と変形植栽ブロック３０とを正立姿勢のまま用いて、構築物５０を構築したものである。この場合、上記各ブロック同士の結合は、下位のブロックの係合相手部１５、３５と上位ブロックの係合部１４、３４との凹凸係合によるので、ブロック相互の位置関係がずれたりすることがなく、かつ積み上げられた構築物５０の平坦性は熟練によらず一定に保たれる。また積み上げた植栽ブロック１０、３０の壁面には適当な開口部５３が明くようにすることにより、中間位の植栽ブロック１０、３０の内部空間を利用した植栽が可能になる。
【００２２】
図１２（ｂ）は、下位のブロックを正立とし、上位のブロックを倒立姿勢としたもので、従って、凸部から成る結合具４７によって両ブロックが結合されている。結合具４７は、各ブロックの係合相手１５、３５に嵌まり合う構造を持っているので、上下のブロックの相互の位置関係は、結合具を用いない係合部１４、３４と係合相手部１５、３５との係合の場合と全く同様に保たれ、正確であり、かつ熟練を必要とせず、作業も容易である。
【００２３】
図１２（ｃ）は、下位のブロックを倒立とし、上位のブロックを正立姿勢としたもので、従って図１１に示した、係合部１４、３４を受け入れる凹部４８が両面に形成されている結合具４６によって上下両ブロックが結合されている例である。この結合具４６は各ブロックの係合部１４、３４に嵌まり合う構造を持っており、上下のブロック相互の位置関係は、図１２（ａ）と同様に正確に保たれ、また熟練を必要とせず作業も容易である。
【００２４】
さらに、図１３を参照して以上の構成及び方法を適用して構築した構築物５１である塀について説明する。この例においては、標準型の植栽ブロック１０と変形ブロック３０とが共に正立姿勢で積み重ねられており、これらの植栽ブロック１０、変形ブロック３０の間には、標準ブロックの２分の１の長さのブロック５２や４分の１の長さブロック５４が併用されていて、塀５１に開口部５３やフェンス部５５を形成し、変化を与えている。また、電柱５６を避けるために、それを囲む凹入部５７をブロック１０、３０…によって形成し、塀の連結性を維持している。要所に配置された植栽ブロック３０のポット部３６には土壌材料が満たされ、そこに所望の植物５８が植えられ、潤いを与えている。
【００２５】
本発明に係る植栽ブロック１０、３０は、自立塀５１のみならず、土留め塀にも適用することができる。その例を図１４に示す。構築物６０である土留め塀は土留め部６１と塀部６２とで構成され、植栽ブロック１０、３０等は塀部６２に使用されている。土留め部６１にも植栽ブロック１０、３０を使用することはできるが、その場合には他の土留め部用ブロックと同じ外形即ち図１に示した植栽ブロック１０の２倍の前後長さを有するものを使用する。
【００２６】
本発明に係る植栽ブロック１０及び変形植栽ブロック３０のポット部３６を含む中空内部に、土壌材料を充填して植物５８を成育させることについては既に説明しているが、土壌材料はブロック本体１１、３１の中に直接充填する場合に限られない。例えば、ブロック本体１１、３１の中空内部に、別に製造したプラスチック製の中容器を収め、これに土壌材料を充填することができる。
【００２７】
ブロック本体１１、３１の中空内部は全体を植物栽培用鉢部として使用しても良く、またその一部に留めても良い。例えば図１３の例の開口部５３は、中位の植栽変形ブロック３０の上段及び下段の左右に上位ブロック及び下位ブロックを積み、ポット部３６の上下に空所を確保する構造となっているので、中位の変形植栽ブロック３０の内部空間は左右各々４分の１ほどが上位ブロックで塞がれることになる。このような場合には仕切り板２０を左右各々４分の１の位置に嵌めて開口部５３に相当する全長のほぼ半分の長さの内部空間を区画しそこに土壌材料を充填するので、プラスチック製の中容器も半分のものが使用される。開口部５３を設けることによって、構築物の構築に必要な植栽ブロック１０、３０の個数が減少するので経済的にも有利となる。
【００２８】
本発明に係る植栽ブロック１０、３０は構築物の構築が主目的であることは以上説明した通りである。しかしながらこれを非構築用途に使用することも差し支えはなく、例えば図１５に示すように、取り付け金具６３を用いて、構造体に吊り下げるようなことも可能である。この場合、取り付け金具６３は図１に示された小凹部１８と同じ位置に形成されている溝１６や凹溝部６４に係止されることとなる。
【００２９】
【発明の効果】
本発明は以上の如く構成されかつ作用するものであるから、長手方向の長さの数分の１ずつずらせて係合可能とする係合部と係合相手部を有することにより熟練した職人でなくても機械的に積み上げる作業によって見た目の良い構築物を構築することができるとともに、殻状構造を有するコンクリート材料から成るので、軽量で強固であり、中空内部にコンクリートや土壌を充填することにより自立塀や土留め塀を構築することができ、また、ブロック自体に植木鉢としての機能が具備されているので、本案ブロックを用いて構築された構築物は恰も生け垣のように緑化された空間を演出することとなり、ブロック本体の中空内部を分割する仕切り板の取り付け部を有しており、分割された中空内部の区画に補強材を通しかつコンクリートを充填する部分となるので、使用時に開口を打ち抜いて鉄筋の現場打ちが可能になるという効果を奏する。
【図面の簡単な説明】
【図１】（ａ）本発明の実施例に係る構築用植栽ブロックを示す平面図。
（ｂ）同上の正面図。
（ｃ）同じく底面図。
（ｄ）図１（ａ）の中央縦断面図。
【図２】（ａ）図１（ａ）のＩＩＡ−ＩＩＡ線断面図。
（ｂ）図１（ａ）のＩＩＢ−ＩＩＢ線断面図。
【図３】図１（ａ）のＩＩＩ部拡大図。
【図４】（ａ）図１（ｄ）のＩＶＡ部拡大図。
（ｂ）図１（ｄ）のＩＶＢ部拡大図。
【図５】（ａ）図１のブロックの上方からみた斜視図。
（ｂ）図１のブロックの下方からみた斜視図。
【図６】（ａ）本発明に係る変形例のブロックを示す平面図。
（ｂ）同上の正面図。
（ｃ）同じく底面図。
（ｄ）図６（ａ）のＤ−Ｄ線断面図。
【図７】（ａ）図６（ａ）のＶＩＩＡ−ＶＩＩＡ線断面図。
（ｂ）図６（ａ）のＶＩＩＢ−ＶＩＩＢ線断面図。
【図８】図７（ａ）のＶＩＩＩ部拡大図。
【図９】結合手段の第１例を示す斜視図。
【図１０】同じく第２例を示す断面図。
【図１１】（ａ）同じく第３例としての結合具１の平面図。
（ｂ）同上のものの横断面図。
（ｃ）同じく結合具２の平面図。
（ｄ）同上のものの横断面図。
【図１２】（ａ）本発明に係る植栽ブロックの適用例の１を示す斜視図。
（ｂ）同じく適用例の２を示す斜視図。
（ｃ）同じく適用例の３を示す斜視図。
【図１３】本発明に係る植栽ブロックを用いた構築物の例の１を示す斜視図。
【図１４】同様に構築物の例２を示す斜視図。
【図１５】本発明に係る植栽ブロックの使用例を示す斜視図。
【符号の説明】
１０  植栽用ブロック
１１、３１  ブロック本体
１２、３２  底
１３、３３  開口
１４、３４  係合部
１５、３５  係合相手部
２１、２１  仕切り板２０の取り付け部
３０  変形ブロック
３６  ポット部
５０、５１、６０  構築物
【図１】
0003986353.tif 000002
【図２】
0003986353.tif 000003
【図３】
0003986353.tif 000004
【図４】
0003986353.tif 000005
【図５】
0003986353.tif 000006
【図６】
0003986353.tif 000007
【図７】
0003986353.tif 000008
【図８】
0003986353.tif 000009
【図９】
0003986353.tif 000010
【図１０】
0003986353.tif 000011
【図１１】
0003986353.tif 000012
【図１２】
0003986353.tif 000013
【図１３】
0003986353.tif 000014
【図１４】
0003986353.tif 000015
【図１５】
0003986353.tif 000016